(57)【要約】【課題】  階段状展示台を構成する部材数が少なく、その組立も非常に簡単に行えるようにする。【解決手段】階段状展示台１は、全体がプラスチック段ボール製であって、方形の基板２と、基板２の両側にそれぞれ立設され、上縁３ａに階段状の段部４・５が左右対称に形成された両側板３と、前記段部４・５に対応する屈曲部４６が形成され、後述する嵌合手段を介して前記両側板３間を覆うように両側板３上に嵌め被せられる帯板状の上板６を有し、前記両側板３を立てた状態で、その上方から前記上板６を嵌め被せることで階段が形成され、該階段の各水平部Ｆ１・Ｆ２が展示スペースとなされており、また前記基板２に対して両側板３と上板６は一体に連設されている。また、本実施形態では、最上段の水平部Ｆ２の後縁部分に、商品名やサービス名等の必要な表示を行う看板７が立設されている。【選択図】  図１
2019097647.tif 000002
【特許請求の範囲】
【請求項１】
方形の基板と、基板の両側にそれぞれ立設され、上縁に階段状の段部が左右対称に形成された両側板と、前記段部に対応する屈曲部が形成され、嵌合手段を介して前記両側板間を覆うように両側板上に嵌め被せられる帯板状の上板を有し、前記両側板を立てた状態で、その上方から前記上板を嵌め被せることで階段が形成され、該階段の各水平部が展示スペースとなされており、少なくとも前記基板と上板が一体に連設されている、階段状展示台。
【請求項２】
基板に対して両側板も一体に連設されている、請求項１記載の階段状展示台。
【請求項３】
両側板が基板および上板とは別体構成であり、基板上面の前後部分に立設された左右方向に伸びる起立壁を、各側板の下縁前後部分に形成された切溝を嵌め入れることで両側板が立設されるようになされている、請求項１記載の階段状展示台。
【請求項４】
最上段の水平部後縁に看板が立設された、請求項１〜請求項３のうちのいずれか一項記載の階段状展示台。
【請求項５】
左右方向に伸びる複数の桁板を更に備え、両側板上縁の階段状段部の各水平部にそれぞれ嵌合溝が形成され、これら嵌合溝に前記桁板の両端部が嵌め入れられることで、該桁板によって上板が支持されている、請求項１〜請求項４のうちのいずれか一項記載の階段状展示台。
【請求項６】
嵌合手段が、両側板上縁の階段状段部の各水平部後縁部分に形成された差込溝と、差込溝に対応して上板の下面に突設された左右方向に伸びる突条とで構成され、該突条を前記差込溝に嵌め入れることで、両側板上に上板が固定されるようになされている、請求項１〜請求項５のうちのいずれか一項記載の階段状展示台。
【請求項７】
更に棚板を有しており、両側板の内面に、左右対称に設けられた棚受け部によって前記棚板が支持されている、請求項１〜請求項６のうちのいずれか一項記載の階段状展示台。
【請求項８】
更に棚板を有しており、基板上面の幅中央部分に一または複数の壁板が立設され、該壁板と対向する側板にそれぞれ左右対称に設けられた棚受け部によって前記棚板が支持されている、請求項１〜請求項６のうちのいずれか一項記載の階段状展示台。
【発明の詳細な説明】
【技術分野】
【０００１】
本発明は、店頭で商品等を陳列するための棚や、或いは雛壇や祭壇等としても使用することができる階段状載置台に関する。
【背景技術】
【０００２】
従来、以下のような展示台が知られている。すなわち、該展示台は、例えば、階段状に構成された雛壇において、該雛壇を構成する両側の側板を各段ごとに縦状に分割して成る複数の分割側板の連結により構成し、夫々の分割側板は縦方向の側端に形成された凸部と溝部とで互いに嵌合されると共に夫々の分割側板の下端が敷設部材の長溝に嵌合された連結側板を構成して成り、該連結側板を所定幅で平行に立設して両側の連結側板を所定長さの幅部材で連結したうえ、両側の連結側板の各段に棚板を掛け渡すと共に各段の前部に幕板を張り渡して夫々の連結側板と棚板と幕板との接合部をダボとダボ穴とで係合することにより、前記両側の連結側板を構成する各分割側板と各棚板と各幕板とを分解可能とした組立式雛壇が知られている。
【０００３】
また、この他、組立式の展示台であって、 左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板とを具備し、前記下台板、前記上台板、前記下補強板、前記上補強板及び前記後ろ補強板は、前記基板を構成する前記左側面及び前記右側面に設置された複数のスリットに嵌設された展示台も知られている。
【先行技術文献】
【特許文献】
【０００４】
【特許文献１】特開２００１−３７６１９号公報
【特許文献２】実用新案登録第３１９０１５２号公報
【発明の概要】
【発明が解決しようとする課題】
【０００５】
前述した雛壇にあっては、複数の分割側板や連結側板、並びに複数の幅部材や棚板および膜板といった多数の構成部材が必要となり、またこれら構成部材同士を組み合わせて最終的に所定の雛壇を完成させるのに、かなりの手間と時間を要するという不都合があった。
【０００６】
また前述した展示台についても、左側面・前面・右側面を有し、コの字型に立設された基板と、 前面・台面・背面から成り下段を構成する下台板と、 同じく前面・台面・背面から成り上段を構成する上台板と、 下段を補強する下補強板と、上段を補強する上補強板と、 展示台を背後から補強する後ろ補強板という多数の構成部材が必要となり、またこれら多くの構成部材を順次組み立てる際の作業にも多くの手間と時間がかかるという問題があった。
【０００７】
本発明の目的は、構成部材が少なく、その組立も非常に簡単に行える階段状載置台を提供することにある。
【課題を解決するための手段】
【０００８】
請求項１記載の本発明は、方形の基板と、基板の両側にそれぞれ立設され、上縁に階段状の段部が左右対称に形成された両側板と、前記段部に対応する屈曲部が形成され、嵌合手段を介して前記両側板間を覆うように両側板上に嵌め被せられる帯板状の上板を有し、前記両側板を立てた状態で、その上方から前記上板を嵌め被せることで階段が形成され、該階段の各水平部が展示スペースとなされており、少なくとも前記基板と上板が一体に連設されている階段状載置台である。
【０００９】
本発明に係る階段状載置台の構成材料は、特に限定されず、例えば、紙製段ボールやプラスチック製段ボール、或はハニカム構造等の中空板が挙げられる。また、プラスチック製段ボールの場合、基板や両側板等の各構成部材を線状に圧縮加熱して折り線を形成することで屈曲可能としたり、或は所謂、半切り加工（ハーフカット）によって屈曲部分を設けることができる。
【００１０】
請求項２記載の本発明は、前記請求項１記載の階段状載置台について、基板に対して両側板も一体に連設されていることを特徴とする。
【００１１】
請求項３記載の本発明は、前記請求項１記載の階段状載置台について、両側板が基板および上板とは別体構成であり、基板上面の前後部分に立設された左右方向に伸びる起立壁を、各側板の下縁前後部分に形成された切溝に嵌め入れることで両側板が立設されるようになされていることを特徴とする。
【００１２】
請求項４記載の本発明は、前記請求項１〜請求項３のうちのいずれか一項記載の階段状載置台について、最上段の水平部後縁に看板が立設されたものである。
【００１３】
請求項５記載の本発明は、前記請求項１〜請求項４のうちのいずれか一項記載の階段状載置台について、左右方向に伸びる複数の桁板を更に備え、両側板上縁の階段状段部の各水平部にそれぞれ嵌合溝が形成され、これら嵌合溝に前記桁板の両端部が嵌め入れられることで、該桁板によって上板が支持されていることを特徴とする。
【００１４】
請求項６記載の本発明は、前記請求項１〜請求項５のうちのいずれか一項記載の階段状載置台について、嵌合手段が、両側板上縁の階段状段部の各水平部後縁部分に形成された差込溝と、差込溝に対応して上板の下面に突設された左右方向に伸びる突条とで構成され、該突条を前記差込溝に嵌め入れることで、両側板上に上板が固定されるようになされていることを特徴とするものである。
【００１５】
請求項７記載の本発明は、前記請求項１〜請求項６のうちのいずれか一項記載の階段状載置台について、更に棚板を有しており、両側板の内面に、左右対称に設けられた棚受け部によって前記棚板が支持されていることを特徴とする。
【００１６】
請求項８記載の本発明は、前記請求項１〜請求項６のうちのいずれか一項記載の階段状載置台について、更に棚板を有しており、基板上面の幅中央部分に一または複数の壁板が立設され、該壁板と対向する側板にそれぞれ左右対称に設けられた棚受け部によって前記棚板が支持されていることを特徴とするものである。
【発明の効果】
【００１７】
本発明に係る階段状載置台は、前述した通り、少なくとも基板に対して階段を構成する帯板状の上板が一体に連設されているため、基板の両側に側板を立てて、両側板に対してその上方から前記上板を嵌め被せるだけで簡単に階段状の載置台が構成されるという格別の実用的利点を有する。
【００１８】
また、予め両側板についても基板と一体に連設する構造とした場合、前述した両側板を立てる作業がいっそう簡単に行えるため、組立の容易性が更に向上し得る。
【００１９】
しかも本発明に係る階段状載置台は、前述した通り、基板と両側板と上板の三枚だけで構成可能であるため、従来のこの種載置台や雛壇等に比べて構成部材数が大幅に削減されることから、前述した組立作業の簡略化は勿論、製造コストの軽減や構成部材の管理の容易性も得られる等、種々の相乗的効果が得られる。
【００２０】
また、両側板間に棚板を架設するようした本発明に係る階段状載置台によれば、階段下の前記棚板上に展示する商品の在庫分や付属品等の物品を収納しておくことができるため、利便性が更に向上する。
【図面の簡単な説明】
【００２１】
【図１】本発明の実施形態に係る載置台の前側斜視図である。
【図２】同実施形態に係る載置台の後側斜視図である。
【図３】同実施形態に係る載置台の側面図である。
【図４】同実施形態に係る載置台の構成部材の連設を示す上面側展開図である。
【図５】同実施形態に係る載置台の構成部材の連設を示す下面側展開図である。
【図６】同実施形態に係る載置台の両側板の立設状態を示す前側斜視図である。
【図７】図６の組立作業後に上板を嵌め被せる際の状態を示す側面側斜視図である。
【図８】図７の組立作業後に両側板の内側に棚桁板を架設した状態を示す後側斜視図である。
【図９】図８の組立作業後に棚板を嵌め被せた状態を示す後側斜視図である。
【図１０】両側板だけを別体構成とした他の実施形態を示す斜視図である。
【図１１】図１１の実施形態において、基板上に両側板を載置固定した状態の斜視図である。
【図１２】壁板が設けられた実施形態に係る載置台の後側斜視図である。
【図１３】図１２の載置台における壁板部分の拡大斜視図である。
【発明を実施するための形態】
【００２２】
次に、本発明の実施形態を図面にしたがって説明するが、本発明はかかる実施形態に限定されるものではない。
【００２３】
図１〜図５に示すように、本実施形態に係る階段状載置台１は、全体がプラスチック段ボール製であって、方形の基板２と、基板２の両側にそれぞれ立設され、上縁３ａに階段状の段部４・５が左右対称に形成された両側板３と、前記段部４・５に対応する屈曲部４６が形成され、後述する嵌合手段を介して前記両側板３間を覆うように両側板３上に嵌め被せられる帯板状の上板６を有し、前記両側板３を立てた状態で、その上方から前記上板６を嵌め被せることで階段が形成され、該階段の各水平部Ｆ１・Ｆ２が展示スペースとなされており、また前記基板２に対して両側板３と上板６は一体に連設されている。また、本実施形態では、最上段の水平部Ｆ２の後縁部分に、商品名やサービス名等の必要な表示を行う看板７が立設されている。
【００２４】
更に、本実施形態の階段状載置台１は、左右方向に伸びる二本の横断面逆凹形の桁板８を備え、前記両側板３の各水平部ＳＦ１・ＳＦ２上端にはそれぞれ一対の嵌合溝９が形成され、これら嵌合溝９に前記桁板８の両端部が嵌め入れられることで、該桁板８によって前述した上板６が支持される構造となされている。
【００２５】
そして、本実施形態では、前記嵌合手段が、両側板３上縁の階段状段部４・５の各水平部ＳＦ１・ＳＦ２の後縁部分に形成された差込溝１１と、差込溝１１に対応して上板６の下面に突設された左右方向に伸びる突条１２とで構成され、該突条１２を前記差込溝１１に嵌め入れることで、両側板３上に上板６が固定されている。
【００２６】
また、本実施形態では、当該載置台１はその内方に更に棚板１３を有しており、そして、両側板３における水平な折り線３ｂの上側に形成された隣り合う二つの方形開口１４の両側縁部から下方に形成された溝状棚受け部１５に前記桁板８と同一形状の棚桁板１６が嵌め込まれて、これら棚桁板１６によって、前記棚板１３が水平に架設されている。なお、前記溝状棚受け部１５は、左右両側板３において、左右対称に設けられている。
【００２７】
次に、本実施形態に係る階段状載置台１の組立方法について説明すると、先ず組立前においては、図１、図４および図５に示すように、基板２の両側に、リベットＲおよび前後方向に形成された折り線３ＣＬによって、側板３が屈曲自在に連設され、また基板２の前側にはリベットＲおよび左右方向に形成された折り線２ＣＬによって、上板６が屈曲自在に連設されている。
【００２８】
また、前記上板６は、本実施形態では、略正方形状の第一板６Ａと、略長方形状の第二板６ＢとがリベットＲによって連結された二枚構成となされ、これら第一板６Ａと第二板６Ｂにはそれぞれ前記側板３における階段状段部４・５に対応して屈曲するための折り線４６がそれぞれ形成されている。
【００２９】
そして、図６に示すように、先ず両側板３を基板２から立ち上げて、前記溝状棚受け部１５に棚桁板１６を嵌め入れると共に、同じく両側板３の各水平部ＳＦ１・ＳＦ２における嵌合溝９に桁板８を嵌め入れる。
【００３０】
その後、図７および図８に示すように、上板６を前記両側板３間へ覆い被せて、先ず両側板３の一段目の水平部ＳＦ１における後縁部分の差込溝１１に上板６の突条１２を嵌め入れて、最初の階段を組み上げ、次に二段目の水平部ＳＦ２における後縁部分の差込溝１１に上板６の上側部分の突条１２を嵌め入れることで次の階段を形成する。この状態で既に前記各桁板８によって、上板６の水平部Ｆ１・Ｆ２が支持された構造となっている。
【００３１】
そして、図８および図９に示すように、前記各棚桁板１６上に棚板１３を架設する。この際、棚板１３の両端の屈曲部分１３ａを前記棚桁板１６の両端寄り部分に形成したスリット１６ａに差し込むことで、棚板１３の取り付け固定が完了する。
【００３２】
その後、図２に示すように、前記水平部Ｆ２の後縁部分における差込溝１１に、前述した看板７の下縁を嵌め入れることで、該看板７を立設する。
【００３３】
以上述べてきたように、本実施形態に係る階段状載置台１は、要するに、図６および図７に示すように、基板１に一体に連設された両側板３および上板６を用いて、先ず両側板３を立ち上げて、両側板３上縁に桁板８および棚桁板１６を架設するだけで当該載置台１のベースとなるものを簡単に構築でき、次に上板６を嵌め被せるだけで最終的に当該階段状載置台１の主体を簡単に完成することができる。
【００３４】
なお、前述した実施形態において、上板６は両側板３間に架設された桁板８によって、支持される構造としたが、該桁板８を省略して上板６が両側板３の階段状段部４・５に直接的に支持される構造とすることもできる。
【００３５】
以上述べた実施形態では、基板１に対して両側板３および上板６を一体に連設したが、本発明はこれに限定されない。
【００３６】
すなわち、図１０および図１１に示すように、例えば、階段状載置台では、基板２２に対して、上板２６だけを一体に連設し、両側板２３だけを別体構成としても良い。
【００３７】
この場合、基板２２の上面における前後部分に、左右方向に伸びる起立壁２５を設け、別体構成とした両側板２３の前後部分に形成した切溝２７に前記起立壁２５を嵌合させることで、基板２２上に両側板２３を立設する構造とすることもできる。その後の組立構造は前記実施形態と同様である。
【００３８】
この他、図１２および図１３に示すように、左右方向に広い幅を有する階段状載置台３１を構築した場合、棚板を増やすこともある。
【００３９】
すなわち、基板３２上面の幅中央部分に二枚の壁板３４・３５が立設され、該壁板３４・３５と対向する側板３３にそれぞれ左右対称に前記と同様の溝状棚受け部３５を形成し、これら溝状棚受け部３５にそれぞれ棚桁板３７を架設し、これら棚桁板３７によって、左右二枚の棚板４３を取り付けることもできる。
【産業上の利用可能性】
【００４０】
本発明に係る階段状載置台は、前述した通り、構成部材数が少なく、そして簡単に組み立てることができるため、幅広い利用が期待できる。
【符号の説明】
【００４１】
１・２１・３１  階段状載置台
２・２２・３２  基板
３・２３・３３  両側板
４・５  階段状段部
６・２６  上板
７  看板
【図１】
2019097647.tif 000003
【図２】
2019097647.tif 000004
【図３】
2019097647.tif 000005
【図４】
2019097647.tif 000006
【図５】
2019097647.tif 000007
【図６】
2019097647.tif 000008
【図７】
2019097647.tif 000009
【図８】
2019097647.tif 000010
【図９】
2019097647.tif 000011
【図１０】
2019097647.tif 000012
【図１１】
2019097647.tif 000013
【図１２】
2019097647.tif 000014
【図１３】
2019097647.tif 000015